(57)【特許請求の範囲】
【請求項１】
コードリール（Ｒ）を備えた電気製品（Ｄ）において、
このコードリール（Ｒ）は、
電源コード（２）を収納可能な空間を有しており、この空間に収納された電源コード（２）を外部に引き出すための電源コード取出口（１２）が設けられたケーシング（１）と、
上記ケーシング（１）内に回動可能に設けられたものであり、電源コード（２）がケーシング（１）の外部に引き出し可能なように巻回された回動ドラム（３）と、
上記回動ドラム（３）を、上記電源コード（２）が巻き取られる方向へと付勢する付勢手段（４）と、
上記付勢に抗しつつ、上記ケーシング（１）に対して上記回動ドラム（３）の位置を止めるための停止機構（５）とを備え、
このコードリール（Ｒ）は、上記回動ドラム（３）の回動軸（Ａ）が水平線を挟んで±４５°以内となるようにして電気製品（Ｄ）に内蔵されており、
上記ケーシング（１）には、ケーシング内外を通気可能とするためのケーシング側通気孔（１１〜１１）が貫通して設けられており、
上記電源コード（２）のうち、常時上記ケーシング内に存在する部分には温度ヒューズ（６）が設けられており、この温度ヒューズ（６）は、上記ケーシング側通気孔（１１〜１１）のうち少なくとも一つと同一径の位置で、上記回動ドラム（３）と共に上記ケーシング（１）に対して回動するものであり、
上記停止機構（５）が作動した際に、上記回動ドラム（３）の回動軸（Ａ）を通るものであって、この回動ドラム（３）を上半分と下半分とに分ける仮想の平面（Ｓ１）よりも上方寄りに上記温度ヒューズ（６）が位置することを特徴とする、コードリールを備えた電気製品。
【請求項２】
コードリール（Ｒ）を備えた電気製品（Ｄ）において、
このコードリール（Ｒ）は、
電源コード（２）を収納可能な空間を有しており、この空間に収納された電源コード（２）を外部に引き出すための電源コード取出口（１２）が設けられたケーシング（１）と、
上記ケーシング（１）内に回動可能に設けられたものであり、電源コード（２）がケーシング（１）の外部に引き出し可能なように巻回された回動ドラム（３）と、
上記回動ドラム（３）を、上記電源コード（２）が巻き取られる方向へと付勢する付勢手段（４）と、
上記付勢に抗しつつ、上記ケーシング（１）に対して上記回動ドラム（３）の位置を止めるための停止機構（５）とを備え、
このコードリール（Ｒ）は、上記回動ドラム（３）の回動軸（Ａ）が垂直線を挟んで±４５°以内となるようにして電気製品（Ｄ）に内蔵されており、
上記ケーシング（１）には、ケーシング内外を通気可能とするためのケーシング側通気孔（１１〜１１）が貫通して設けられており、
上記電源コード（２）のうち、常時上記ケーシング内に存在する部分には温度ヒューズ（６）が設けられており、この温度ヒューズ（６）は、上記ケーシング側通気孔（１１〜１１）のうち少なくとも一つと同一径の位置で、上記回動ドラム（３）と共に上記ケーシング（１）に対して回動するものであり、
電気製品は発熱部分（Ｈ）を有しており、
上記停止機構（５）が作動した際に、上記回動ドラム（３）の回動軸（Ａ）を通るものであって、この回動ドラム（３）を発熱部分（Ｈ）に対して水平方向で近い側の半分と遠い側の半分とに分ける仮想の平面（Ｓ２）よりも発熱部分（Ｈ）に近い側に上記温度ヒューズ（６）が位置することを特徴とする、コードリールを備えた電気製品。
【請求項３】
上記回動ドラム（３）は、電源コード（２）を巻回するための、少なくとも一部が同一曲率の曲面を有する略円筒状の巻回筒部（３１）を備え、
この巻回筒部（３１）における端面の少なくとも一方には、巻回された電源コードを沿わせることのできる巻回板部（３２）を備えており、
この巻回板部（３２）における、上記停止機構（５）が作動した際に上記温度ヒューズ（６）に一致するケーシング側通気孔（１１）と一致する位置に回動ドラム側通気孔（３３〜３３）が設けられたことを特徴とする、請求項１または２に記載のコードリールを備えた電気製品。
【請求項４】
上記停止機構（５）が、上記ケーシング（１）の内面に周方向に設けられた案内溝（５１）及びこの案内溝（５１）の一部として設けられた行き止まり状の係止溝（５２）と、上記巻回板部（３１）に設けられた係止レバー（５３）とを備えており、
上記係止レバー（５３）に設けられた被案内突起（５３ａ）が上記案内溝（５１）に沿って移動するものとされており、この被案内突起（５３ａ）が上記係止溝（５１）に導かれることにより、上記ケーシング（１）に対して上記回動ドラム（３）が一時的に固定されるものであって、
上記温度ヒューズ（６）の設けられた位置が、上記巻回筒部（３１）よりも上記回動軸（Ａ）に近い側であり、かつ、上記回動ドラム（３）の回動に伴う、上記案内溝（５１）における上記被案内突起（５３ａ）の通る位置から外れた位置であることを特徴とする、請求項３に記載のコードリールを備えた電気製品。
【請求項５】
上記回動ドラム（３）は、電源コード（２）を巻回するための、少なくとも一部が同一曲率の曲面を有する略円筒状の巻回筒部（３１）を備え、
この巻回筒部（３１）の端面の少なくとも一方には、巻回された電源コード（２）を沿わせることのできる巻回板部（３２）を備えており、
この巻回板部（３２）を挟んだ一方側には電源コード（２）が巻回されており、
同他方側には、ケーシング（１）からの引き出しがなされないダミーコード（７）が上記電源コード（２）と逆方向に巻回されており、
上記電源コード（２）とダミーコード（７）とが上記温度ヒューズ（６）を介して接続されたことを特徴とする、請求項１または２に記載のコードリールを備えた電気製品。
【請求項６】
上記回動ドラム（３）上であって上記電源コードの基端（２２）に回動ドラム側電気接点（８１）が設けられており、上記ケーシング（１）の内面にケーシング側電気接点（８２）が設けられており、上記の各電気接点（８１，８２）が常時接触するものとされたことを特徴とする、請求項１または２に記載のコードリールを備えた電気製品。
【請求項７】
上記電気製品（Ｄ）がＩＨ式の電気炊飯器であることを特徴とする、請求項１〜６のいずれかに記載のコードリールを備えた電気製品。
【請求項８】
電源コード（２）を収納可能な空間を有しており、この空間に収納された電源コード（２）を外部に引き出すための電源コード取出口（１２）が設けられたケーシング（１）と、
上記ケーシング（１）内に回動可能に設けられたものであり、電源コード（２）をケーシング（１）の外部に引き出し可能なように巻回された回動ドラム（３）と、
上記回動ドラム（３）を、上記電源コード（２）が巻き取られる方向へと付勢する付勢手段（４）と、
上記付勢に抗しつつ、上記ケーシング（１）に対して上記回動ドラム（３）の位置を止めるための停止機構（５）とを備え、
この停止機構（５）が、上記ケーシング（１）の内面に周方向に設けられた案内溝（５１）及びこの案内溝（５１）の一部として設けられた行き止まり状の係止溝（５２）と、上記巻回板部（３１）に設けられた係止レバー（５３）とを備えており、
上記係止レバー（５３）が上記係止溝（５２）に係止されることにより、上記ケーシング（１）に対して上記回動ドラム（３）が一時的に固定されるものであって、
上記ケーシング（１）には、ケーシング内外を通気可能とするためのケーシング側通気孔（１１〜１１）が貫通して設けられており、
上記電源コード（２）のうち、常時上記ケーシング内に存在する部分には温度ヒューズ（６）が設けられており、この温度ヒューズ（６）は、上記ケーシング側通気孔（１１〜１１）のうち少なくとも一つと同一径の位置で、上記回動ドラム（３）と共に上記ケーシング（１）に対して回動するものであり、
この温度ヒューズ（６）の設けられた位置が、上記巻回筒部（３１）よりも上記回動軸（Ａ）に近い側であり、かつ、上記回動ドラム（３）の回動に伴う、上記案内溝（５１）における上記被案内突起（５３ａ）の通る位置から外れた位置とされており、
上記停止機構（５）が作動した際に、上記ケーシング側通気孔（１１〜１１）のうち少なくとも一つと上記温度ヒューズ（６）とが上記回動ドラム（３）の回動軸（Ａ）に沿う方向において重なるものであって、
上記回動ドラム（３）は、電源コード（２）を巻回するための、少なくとも一部が同一曲率の曲面を有する略円筒状の巻回筒部（３１）を備え、
この巻回筒部（３１）における端面の少なくとも一方には、巻回された電源コードを沿わせることのできる巻回板部（３２）を備えており、
この巻回板部（３２）にはドラム側通気孔（３３〜３３）が設けられたものであって、
このドラム側通気孔（３３〜３３）は、上記停止機構（５）が作動して回動ドラム（３）が停止した際に上記温度ヒューズ（６）に一致するケーシング側通気孔（１１）と一致する位置に設けられたことを特徴とする電気製品用のコードリール。
【請求項９】
電源コード（２）の先端には差込プラグ（２１）が設けられており、同基端（２２）は上記回動ドラム（３）に固定されており、
回動ドラム（３）に電源コード（２）を巻き取った際に、上記差込プラグ（２１）がこの上記の電源コード取出口（１２）から露出した状態で残るものであり、
上記ケーシング（１）の表面及び裏面には上記ケーシング側通気孔（１１〜１１）が貫通して設けられており、
上記回動ドラム（３）は、電源コード（２）を巻回するための略円筒状の巻回筒部（３１）を備え、
この巻回筒部（３１）の表裏両端面には、巻回された電源コードを沿わせることのできる巻回板部（３２）を備えており、
表面側巻回板部（３２ａ）及び裏面側巻回板部（３２ｂ）における、上記ケーシング側通気孔（１１〜１１）のうち少なくとも一つと同一径の位置に回動ドラム側通気孔（３３〜３３）が設けられており、
裏面側巻回板部（３２ｂ）の、回動軸（Ａ）に沿う方向における外側には、付勢手段（４）としてのうず巻ばねと上記停止機構（５）が設けられており、
上記停止機構（５）が、上記ケーシング（１）の内面に周方向に設けられた案内溝（５１）と、この案内溝（５１）の一部として設けられた行き止まり状の係止溝（５２）と、上記裏面側巻回板部（３２ｂ）における上記ケーシング（１）の内面に対向する面に基部（５３ｂ）が回動可能に設けられた係止レバー（５３）とを備えており、
上記係止レバー（５３）に設けられた被案内突起（５３ａ）が上記案内溝（５１）に沿って移動するものとされており、この被案内突起（５３ａ）が上記係止溝（５２）に導かれたことにより、上記ケーシング（１）に対して上記回動ドラム（３）が一時的に固定されるものであって、
上記表面側巻回板部（３２ａ）と裏面側巻回板部（３２ｂ）との間には電源コード（２）が巻回されるものであり、
上記表面側巻回板部（３２ａ）の、回動軸（Ａ）に沿う方向における外側には上記電源コード（２）と逆方向に、ケーシング（１）からの引き出しがなされないダミーコード（７）が巻回されており、
上記ダミーコード（７）が上記表面側巻回板部（３２ａ）を貫通し、上記温度ヒューズ（６）を介して上記電源コード（２）に接続されており、
上記温度ヒューズ（６）の設けられた位置が、上記巻回筒部（３１）よりも回動ドラム（３）の回動軸（Ａ）に近い側であり、かつ、上記回動ドラム（３）の回動に伴う、上記案内溝（５１）における被案内突起（５３ａ）の通る位置から外れた位置であることを特徴とする、請求項８に記載の電気製品用のコードリール。
【請求項１０】
電源コード（２）の先端には差込プラグ（２１）が設けられており、同基端（２２）は上記回動ドラム（３）に固定されており、
回動ドラム（３）に電源コード（２）を巻き取った際に、上記差込プラグ（２１）が上記の電源コード取出口（１２）から露出した状態で残るものであり、
上記ケーシング（１）の表面及び裏面には上記ケーシング側通気孔（１１〜１１）が貫通して設けられており、
上記回動ドラム（３）は、電源コード（２）を巻回するための略円筒状の巻回筒部（３１）を備え、
この巻回筒部（３１）の表側の端面には、巻回された電源コードを沿わせることのできる巻回板部（３２）を備えており、
上記巻回板部（３２）における、上記ケーシング側通気孔（１１〜１１）のうち少なくとも一つと同一径の位置に回動ドラム側通気孔（３３〜３３）が設けられており、
上記巻回板部（３２）の、回動軸（Ａ）に沿う方向における外側には、上記付勢手段（４）としてのうず巻ばねと上記停止機構（５）とが設けられており、
上記停止機構（５）が、上記ケーシング（１）の内面に周方向に設けられた案内溝（５１）と、この案内溝（５１）の一部として設けられた行き止まり状の係止溝（５２）と、上記巻回板部（３２）における上記ケーシング（１）の内面に対向する面に基部（５３ｂ）が回動可能に設けられた係止レバー（５３）とを備えており、
上記係止レバー（５３）に設けられた被案内突起（５３ａ）が上記案内溝（５１）に沿って移動するものとされており、この被案内突起（５３ａ）が上記係止溝（５２）に導かれたことにより、上記ケーシング（１）に対して上記回動ドラム（３）が一時的に固定されるものであって、
上記巻回板部（３２）の内面から、上記電源コードの基端（２２）に接続されるようにして回動ドラム側電気接点（８１）が突出しており、上記巻回板部（３２）の内面に対向する関係にある、上記ケーシング（１）の内面にケーシング側電気接点（８２）が設けられており、上記の各電気接点（８１，８２）が常時接触するものとされており、
上記温度ヒューズ（６）の設けられた位置が、上記巻回筒部（３１）よりも回動ドラム（３）の回動軸（Ａ）に近い側であり、かつ、上記回動ドラム（３）の回動に伴う、上記案内溝（５１）における被案内突起（５３ａ）の通る位置から外れた位置であることを特徴とする、請求項８に記載の電気製品用のコードリール。
【発明の詳細な説明】
【技術分野】
【０００１】
本願発明は、電源コードを収納及び引き出し可能とした電気製品用のコードリール及びこれを備えた電気製品に関するものである。
【背景技術】
【０００２】
【特許文献１】特開２００３−２９２２５２号公報
【特許文献２】特開２００４−８９４３２号公報
【０００３】
従来から、電源コードを収納及び引き出し可能とした電気製品用のコードリールが存在しており、これを備えた電気製品が多く用いられている。
【０００４】
コードリールの一例として、本願出願人による特許文献１に記載されたものがある。これは、図１７に示すように、内部に案内溝１０１ａを持つケース１０１と、ケース１０１の内部に設けられる、回動自在である略円盤の片側の面に沿わせてコード１０２を巻き取ることができるリール１０３と、コード１０２をケース１０１の内部に巻き取る方向に、リール１０２を付勢する付勢手段１０４と、ケース１０１の内部に案内溝１０１ａの一部として設けられる係止溝１０１ｂにより、リール１０３を一時的に係止する、リール１０３に対して摺動可能に設けられるストップレバー１０５とからなるものである。
【０００５】
ここで、電気製品には電気炊飯器など発熱部分を有するものがある。このような電気製品には、過熱を防止するために温度ヒューズが設けられている。この温度ヒューズは電気製品内部の電気配線に組み込まれているが、従来、コードリールとは全く関連付けられていなかった。
【０００６】
特許文献２に記載の発明は、温度ヒューズをコードリールのカバー外部に取り付けたものであって、このようにすることにより、温度ヒューズのための独立した取付部材が不要となり、電気製品を構成する部品点数を減少させることができる。
【発明の開示】
【発明が解決しようとする課題】
【０００７】
しかしながら、この特許文献２に記載の発明では、温度ヒューズの取付箇所としてコードリールのカバーを利用したに過ぎないものであって、依然として、コードリールの取付作業と温度ヒューズの取付作業とを別個に行う必要があり、電気製品全体の組立作業にかかる手間は従来と変わらないものであった。
【０００８】
本願発明はこのことに鑑み、コードリールの構造を変更することにより、電気製品全体の組立作業にかかる手間を減少させることができる電気製品用のコードリール及びこれを備えた電気製品を提供することを課題とする。
【課題を解決するための手段】
【０００９】
上記課題を解決するために、本願の請求項１に記載の発明は、コードリールＲを備えた電気製品Ｄにおいて、このコードリールＲは、電源コード２を収納可能な空間を有しており、この空間に収納された電源コード２を外部に引き出すための電源コード取出口１２が設けられたケーシング１と、上記ケーシング１内に回動可能に設けられたものであり、電源コード２がケーシング１の外部に引き出し可能なように巻回された回動ドラム３と、上記回動ドラム３を、上記電源コード２が巻き取られる方向へと付勢する付勢手段４と、上記付勢に抗しつつ、上記ケーシング１に対して上記回動ドラム３の位置を止めるための停止機構５とを備え、このコードリールＲは、上記回動ドラム３の回動軸Ａが水平線を挟んで±４５°以内となるようにして電気製品）に内蔵されており、上記ケーシング１には、ケーシング内外を通気可能とするためのケーシング側通気孔１１〜１１が貫通して設けられており、上記電源コード２のうち、常時上記ケーシング内に存在する部分には温度ヒューズ６が設けられており、この温度ヒューズ６は、上記ケーシング側通気孔１１〜１１のうち少なくとも一つと同一径の位置で、上記回動ドラム３と共に上記ケーシング１に対して回動するものであり、上記停止機構５が作動した際に、上記回動ドラム３の回動軸Ａを通るものであって、この回動ドラム３を上半分と下半分とに分ける仮想の平面Ｓ１よりも上方寄りに上記温度ヒューズ６が位置することを特徴とする、コードリールを備えた電気製品を提供する。
【００１０】
また、本願の請求項２に記載の発明は、コードリールＲを備えた電気製品Ｄにおいて、このコードリールＲは、電源コード２を収納可能な空間を有しており、この空間に収納された電源コード２を外部に引き出すための電源コード取出口１２が設けられたケーシング１と、上記ケーシング１内に回動可能に設けられたものであり、電源コード２がケーシング１の外部に引き出し可能なように巻回された回動ドラム３と、上記回動ドラム３を、上記電源コード２が巻き取られる方向へと付勢する付勢手段４と、上記付勢に抗しつつ、上記ケーシング１に対して上記回動ドラム３の位置を止めるための停止機構５とを備え、このコードリールＲは、上記回動ドラム３の回動軸Ａが垂直線を挟んで±４５°以内となるようにして電気製品Ｄに内蔵されており、上記ケーシング１には、ケーシング内外を通気可能とするためのケーシング側通気孔１１〜１１が貫通して設けられており、上記電源コード２のうち、常時上記ケーシング内に存在する部分には温度ヒューズ６が設けられており、この温度ヒューズ６は、上記ケーシング側通気孔１１〜１１のうち少なくとも一つと同一径の位置で、上記回動ドラム３と共に上記ケーシング１に対して回動するものであり、電気製品は発熱部分Ｈを有しており、上記停止機構５が作動した際に、上記回動ドラム３の回動軸Ａを通るものであって、この回動ドラム３を発熱部分Ｈに対して水平方向で近い側の半分と遠い側の半分とに分ける仮想の平面Ｓ２よりも発熱部分Ｈに近い側に上記温度ヒューズ６が位置することを特徴とする、コードリールを備えた電気製品を提供する。
【００１１】
なお、上記の発熱部分Ｈは、電熱線やＩＨ式の電気炊飯器の炊飯釜など、発熱を調理などの目的に積極的に利用する場合の発熱部分に限定されるものではなく、電気掃除機のモータなど、過熱事故の熱源となり得る部分も含む。
【００１２】
また、本願の請求項３に記載の発明は、上記回動ドラム３は、電源コード２を巻回するための、少なくとも一部が同一曲率の曲面を有する略円筒状の巻回筒部３１を備え、この巻回筒部３１における端面の少なくとも一方には、巻回された電源コードを沿わせることのできる巻回板部３２を備えており、この巻回板部３２における、上記停止機構５が作動した際に上記温度ヒューズ６に一致するケーシング側通気孔１１と一致する位置に回動ドラム側通気孔３３〜３３が設けられたことを特徴とする、請求項１または２に記載のコードリールを備えた電気製品を提供する。
【００１３】
また、本願の請求項４に記載の発明は、上記停止機構５が、上記ケーシング１の内面に周方向に設けられた案内溝５１及びこの案内溝５１の一部として設けられた行き止まり状の係止溝５２と、上記巻回板部３１に設けられた係止レバー５３とを備えており、上記係止レバー５３に設けられた被案内突起５３ａが上記案内溝５１に沿って移動するものとされており、この被案内突起５３ａが上記係止溝５１に導かれることにより、上記ケーシング１に対して上記回動ドラム３が一時的に固定されるものであって、上記温度ヒューズ６の設けられた位置が、上記巻回筒部３１よりも上記回動軸（Ａ）に近い側であり、かつ、上記回動ドラム３の回動に伴う、上記案内溝５１における上記被案内突起５３ａの通る位置から外れた位置であることを特徴とする、請求項３に記載のコードリールを備えた電気製品を提供する。
【００１４】
また、本願の請求項５に記載の発明は、上記回動ドラム３は、電源コード２を巻回するための、少なくとも一部が同一曲率の曲面を有する略円筒状の巻回筒部３１を備え、この巻回筒部３１の端面の少なくとも一方には、巻回された電源コード２を沿わせることのできる巻回板部３２を備えており、この巻回板部３２を挟んだ一方側には電源コード２が巻回されており、同他方側には、ケーシング１からの引き出しがなされないダミーコード７が上記電源コード２と逆方向に巻回されており、上記電源コード２とダミーコード７とが上記温度ヒューズ６を介して接続されたことを特徴とする、請求項１または２に記載のコードリールを備えた電気製品を提供する。
【００１５】
また、本願の請求項６に記載の発明は、上記回動ドラム３上であって上記電源コードの基端２２に回動ドラム側電気接点８１が設けられており、上記ケーシング１の内面にケーシング側電気接点８２が設けられており、上記の各電気接点８１，８２が常時接触するものとされたことを特徴とする、請求項１または２に記載のコードリールを備えた電気製品を提供する。
【００１６】
また、本願の請求項７に記載の発明は、上記電気製品ＤがＩＨ式の電気炊飯器であることを特徴とする、請求項１〜６のいずれかに記載のコードリールを備えた電気製品を提供する。
【００１７】
また、本願の請求項８に記載の発明は、電源コード２を収納可能な空間を有しており、この空間に収納された電源コード２を外部に引き出すための電源コード取出口１２が設けられたケーシング１と、上記ケーシング１内に回動可能に設けられたものであり、電源コード２をケーシング１の外部に引き出し可能なように巻回された回動ドラム３と、上記回動ドラム３を、上記電源コード２が巻き取られる方向へと付勢する付勢手段４と、上記付勢に抗しつつ、上記ケーシング１に対して上記回動ドラム３の位置を止めるための停止機構５とを備え、この停止機構５が、上記ケーシング１の内面に周方向に設けられた案内溝５１及びこの案内溝５１の一部として設けられた行き止まり状の係止溝５２と、上記巻回板部３１に設けられた係止レバー５３とを備えており、上記係止レバー５３が上記係止溝５２に係止されることにより、上記ケーシング１に対して上記回動ドラム３が一時的に固定されるものであって、上記ケーシング１には、ケーシング内外を通気可能とするためのケーシング側通気孔１１〜１１が貫通して設けられており、上記電源コード２のうち、常時上記ケーシング内に存在する部分には温度ヒューズ６が設けられており、この温度ヒューズ６は、上記ケーシング側通気孔１１〜１１のうち少なくとも一つと同一径の位置で、上記回動ドラム３と共に上記ケーシング１に対して回動するものであり、この温度ヒューズ６の設けられた位置が、上記巻回筒部３１よりも上記回動軸Ａに近い側であり、かつ、上記回動ドラム３の回動に伴う、上記案内溝５１における上記被案内突起５３ａの通る位置から外れた位置とされており、上記停止機構５が作動した際に、上記ケーシング側通気孔１１〜１１のうち少なくとも一つと上記温度ヒューズ６とが上記回動ドラム３の回動軸Ａに沿う方向において重なるものであって、
上記回動ドラム３は、電源コード２を巻回するための、少なくとも一部が同一曲率の曲面を有する略円筒状の巻回筒部３１を備え、この巻回筒部３１における端面の少なくとも一方には、巻回された電源コードを沿わせることのできる巻回板部３２を備えており、この巻回板部３２にはドラム側通気孔３３〜３３が設けられたものであって、このドラム側通気孔３３〜３３は、上記停止機構５が作動して回動ドラム３が停止した際に上記温度ヒューズ６に一致するケーシング側通気孔１１と一致する位置に設けられた電気製品用のコードリールを提供する。
【００１８】
また、本願の請求項９に記載の発明は、電源コード２の先端には差込プラグ２１が設けられており、同基端２２は上記回動ドラム３に固定されており、回動ドラム３に電源コード２を巻き取った際に、上記差込プラグ２１が上記の電源コード取出口１２から露出した状態で残るものであり、上記ケーシング１の表面及び裏面には上記ケーシング側通気孔１１〜１１が貫通して設けられており、上記回動ドラム３は、電源コード２を巻回するための略円筒状の巻回筒部３１を備え、この巻回筒部３１の表裏両端面には、巻回された電源コードを沿わせることのできる巻回板部３２を備えており、表面側巻回板部３２ａ及び裏面側巻回板部３２ｂにおける、上記ケーシング側通気孔１１〜１１のうち少なくとも一つと同一径の位置に回動ドラム側通気孔３３〜３３が設けられており、裏面側巻回板部３２ｂの、回動軸Ａに沿う方向における外側には、付勢手段４としてのうず巻ばねと上記停止機構５が設けられており、上記停止機構５が、上記ケーシング１の内面に周方向に設けられた案内溝５１と、この案内溝５１の一部として設けられた行き止まり状の係止溝５２と、上記裏面側巻回板部３２ｂにおける上記ケーシング１の内面に対向する面に基部５３ｂが回動可能に設けられた係止レバー５３とを備えており、上記係止レバー５３に設けられた被案内突起５３ａが上記案内溝５１に沿って移動するものとされており、この被案内突起５３ａが上記係止溝５２に導かれたことにより、上記ケーシング１に対して上記回動ドラム３が一時的に固定されるものであって、上記表面側巻回板部３２ａと裏面側巻回板部３２ｂとの間には電源コード２が巻回されるものであり、上記表面側巻回板部３２ａの、回動軸Ａに沿う方向における外側には上記電源コード２と逆方向に、ケーシング１からの引き出しがなされないダミーコード７が巻回されており、上記ダミーコード７が上記表面側巻回板部３２ａを貫通し、上記温度ヒューズ６を介して上記電源コード２に接続されており、上記温度ヒューズ６の設けられた位置が、上記巻回筒部３１よりも回動ドラム３の回動軸Ａに近い側であり、かつ、上記回動ドラム３の回動に伴う、上記案内溝５１における被案内突起５３ａの通る位置から外れた位置であることを特徴とする、請求項８に記載の電気製品用のコードリールを提供する。
【００１９】
また、本願の請求項１０に記載の発明は、電源コード２の先端には差込プラグ２１が設けられており、同基端２２は上記回動ドラム３に固定されており、回動ドラム３に電源コード２を巻き取った際に、上記差込プラグ２１が上記の電源コード取出口１２から露出した状態で残るものであり、上記ケーシング１の表面及び裏面には上記ケーシング側通気孔１１〜１１が貫通して設けられており、上記回動ドラム３は、電源コード２を巻回するための略円筒状の巻回筒部３１を備え、この巻回筒部３１の表側の端面には、巻回された電源コードを沿わせることのできる巻回板部３２を備えており、上記巻回板部３２における、上記ケーシング側通気孔１１〜１１のうち少なくとも一つと同一径の位置に回動ドラム側通気孔３３〜３３が設けられており、上記巻回板部３２の、回動軸Ａに沿う方向における外側には、上記付勢手段４としてのうず巻ばねと上記停止機構５とが設けられており、上記停止機構５が、上記ケーシング１の内面に周方向に設けられた案内溝５１と、この案内溝５１の一部として設けられた行き止まり状の係止溝５２と、上記巻回板部３２における上記ケーシング１の内面に対向する面に基部５３ｂが回動可能に設けられた係止レバー５３とを備えており、上記係止レバー５３に設けられた被案内突起５３ａが上記案内溝５１に沿って移動するものとされており、この被案内突起５３ａが上記係止溝５２に導かれたことにより、上記ケーシング１に対して上記回動ドラム３が一時的に固定されるものであって、上記巻回板部３２の内面から、上記電源コードの基端２２に接続されるようにして回動ドラム側電気接点８１が突出しており、上記巻回板部３２の内面に対向する関係にある、上記ケーシング１の内面にケーシング側電気接点８２が設けられており、上記の各電気接点８１，８２が常時接触するものとされており、上記温度ヒューズ６の設けられた位置が、上記巻回筒部３１よりも回動ドラム３の回動軸Ａに近い側であり、かつ、上記回動ドラム３の回動に伴う、上記案内溝５１における被案内突起５３ａの通る位置から外れた位置であることを特徴とする、請求項８に記載の電気製品用のコードリールを提供する。
【発明の効果】
【００２０】
本願発明は、温度ヒューズ６がケーシング内に設けられるため、温度ヒューズ６をコードリールＲと一体に製造できる。そのため温度ヒューズ６を備えたコードリールというユニットを電気製品Ｄに組み込むだけで良く、電気製品全体の組立作業にかかる手間を減少させることができる。
【００２１】
特に請求項１に係る発明では、温度ヒューズ６が、ケーシング側通気孔１１〜１１のうち少なくとも一つと同一径の位置で、回動ドラム３と共にケーシング１に対して回動するものであることから、温度ヒューズ６がケーシング内に設けられていても、コードリールＲの周囲における外気の過熱状況を感知することが十分に可能である。そして、停止機構５が作動した際に、回動ドラム３の回動軸Ａを通るものであり、この回動ドラム３を上半分と下半分とに分ける仮想の平面Ｓ１よりも上方寄りに上記温度ヒューズ６が位置することから、通常の場合、コードリールＲの周囲における外気が加熱された場合、下方よりも上方の方が高温となるため、外気の過熱状況をより感知しやすくできる。
【００２２】
また、請求項２に係る発明では、この温度ヒューズ６が、ケーシング側通気孔１１〜１１のうち少なくとも一つと同一径の位置で、上記回動ドラム３と共に上記ケーシング１に対して回動するものであることから、温度ヒューズ６がケーシング内に設けられていても、コードリールＲの周囲における外気の過熱状況を感知することが十分に可能である。そして、電気製品が発熱部分Ｈを有しており、上記停止機構５が作動した際に、上記回動ドラム３の回動軸Ａを通るものであって、この回動ドラム３を発熱部分Ｈに対して水平方向で近い側の半分と遠い側の半分とに分ける仮想の平面Ｓ２よりも近い側に上記温度ヒューズ６が位置することから、温度ヒューズ６を発熱部分Ｈに近づけることができ、外気の過熱状況をより感知しやすくできる。
【発明を実施するための最良の形態】
【００２３】
以下、図面に基づき本願発明の実施の一例をとりあげて説明する。本実施例ではコードリールを組み込む電気製品をＩＨ式の電気炊飯器としている。図１は、電気炊飯器におけるコードリールの位置の例を示し、図２〜１０は第１実施例のコードリールを示し、図１１〜１５は第２実施例のコードリールを示す。
【００２４】
本例のコードリールＲは、ケーシング１と、このケーシング１内に設けられた回動ドラム３、付勢手段４、停止機構５とを備えている。
【００２５】
ケーシング１は、図４や図１３に示すように、表裏方向（各図に示された厚み方向）において扁平な形状のものである。このケーシング１は、ケーシング本体１ａと蓋部１ｂとからなっており、これらが組み合わされた状態で、内部に回動ドラム３等が収納できる略円筒状の空間が形成される。
【００２６】
上記ケーシング１には、内外を通気可能とするためのケーシング側通気孔１１が貫通して設けられている。このケーシング側通気孔１１〜１１は図示のように複数設けられるが、そのうち少なくとも一つは、後述の温度ヒューズ６と同一径の位置に設けられる。これは、コードリールＲの外部の熱を感知しやすくするためである。
【００２７】
第１実施例にあっては、ケーシング側通気孔１１〜１１として、図２に示すように、ケーシング１の表面に放射状に設けられたスリット状の第１−１通気孔１１ａ及びこの第１−１通気孔１１ａ同士に挟まれるようにして設けられた円形の第１−２通気孔１１ｂと、図３に示すように、ケーシング１の裏面に設けられた短いスリット状の第１−３通気孔１１ｃと、図３及び図４（Ａ）に示すように、ケーシング１の側面から裏面にわたって設けられた第１−４通気孔１１ｄとを備えている。このうち、第１−１通気孔１１ａ及び第１−３通気孔１１ｃが温度ヒューズ６と同一径の位置に設けられる。
【００２８】
第２実施例にあっては、ケーシング側通気孔１１〜１１として、図１１に示すように、ケーシング１の表面に設けられた円形の第２−１通気孔１１ｅ及びこの第２−１通気孔１１ａよりも径内部分に設けられた円形の第２−２通気孔１１ｆと、図１２に示すように、ケーシング１の裏面に設けられた円形の第２−３通気孔１１ｇと、図１２及び図１３に示すように、ケーシング１の側面から裏面にわたって設けられた第２−４通気孔１１ｈとを備えている。このうち、第２−２通気孔１１ｆ及び第２−３通気孔１１ｇが温度ヒューズ６と同一径の位置に設けられる。
【００２９】
なお、上記のようにケーシング側通気孔１１〜１１のうち少なくとも一つが、後述の温度ヒューズ６と同一径の位置に設けられており、このケーシング側通気孔１１と温度ヒューズ６との間に回動ドラム３の下記巻回巻部３２が存在する場合は、停止機構５が作動した際に、下記回動ドラム側通気孔３３〜３３のうち少なくとも一つが上記ケーシング側通気孔１１と一致するようにしておく必要がある。
【００３０】
回動ドラム３は、上記ケーシング１内において回動軸Ａを中心として回動可能に設けられたものであり、電源コード２がケーシング外に引き出し可能なように巻回されたものである。
【００３１】
上記回動ドラム３は、電源コード２を外周面に巻回するための、少なくとも一部が同一曲率の曲面を有する巻回筒部３１を備えている。
【００３２】
そして、この巻回筒部３１における表裏側端面の少なくとも一方には、上記のように巻回された電源コード２を沿わせることのできる巻回板部３２を備えている。この巻回巻部３２は、第１実施例においては、図４（Ｂ）に示すように巻回筒部３１の表裏両端面に設けられており（表面側巻回板部３２ａ及び裏面側巻回板部３２ｂ）、第２実施例においては、図１３に示すように巻回筒部３１の裏側の端面に設けられている。第１実施例においては表面側巻回板部３２ａ及び裏面側巻回板部３２ｂとの間に電源コード２が巻回される。第２実施例においては巻回板部３２の表面に沿うようにして電源コード２が巻回される。この巻回板部３２により、電源コード２を外周へと順次巻回させていくことができる。
【００３３】
この巻回板部３２における、上記温度ヒューズ６と一致するケーシング側通気孔１１と上記停止機構５が作動した際に一致する位置に回動ドラム側通気孔３３〜３３が設けられている。この回動ドラム側通気孔３３〜３３は、第１実施例においては、図４（Ｂ）、図６、図７に示すように、表面側巻回板部３２ａ及び裏面側巻回板部３２ｂに設けられているが、表面側巻回板部３２ａと裏面側巻回板部３２ｂとのいずれか一方にのみ設けられていても良い。
【００３４】
このように回動ドラム側通気孔３３〜３３が設けられたことにより、ケーシング本体１ａと蓋部１ｂとのうち少なくとも一方にケーシング側通気孔１１〜１１が設けられていれば、このケーシング側通気孔１１〜１１と回動ドラム側通気孔３３〜３３とを通じ、温度ヒューズ６にケーシング外の外気を当てることができる。図４（Ｂ）及び図１３に気流を太矢印で示すように、温度ヒューズ６と同一径に位置していない他のケーシング側通気孔１１〜１１と回動ドラム側通気孔３３〜３３を通じても外気がケーシング内に流入する。このようにして、ケーシング内に温度ヒューズ６が設けられていても、問題なくケーシング外の過熱を感知することができる。
【００３５】
付勢手段４は、上記回動ドラム３を、上記電源コード２が巻き取られる方向へと付勢するものである。第１実施例では図４（Ｂ）に示すように、裏面側巻回板部３２ｂの裏側外面に、この付勢手段としてうず巻ばね（ゼンマイ）が設けられている。第２実施例では図１３に示すように、上記巻回板部３２の裏側外面に、この付勢手段としてのうず巻ばね（ゼンマイ）が設けられている。付勢手段は、各実施例のようなうず巻ばねに限られるものではなく他の形態の付勢手段を用いても良い。
【００３６】
停止機構５は、上記付勢手段４による付勢に抗しつつ、上記ケーシング１に対して上記回動ドラム３の位置を止めるためのものである。この停止機構５は、本願出願人によって出願された発明・考案に係る公報に開示されているものと同様の機構である（例えば実公平４−２０８６０、特開２００３−２９２２５２（特許文献１））。これは、上記ケーシング１の内面に周方向に設けられた案内溝５１及びこの案内溝５１の一部として、案内溝５１から分岐して設けられた行き止まり状の係止溝５２と、巻回板部３２（第１実施例においては裏面側巻回板部３２ｂ）における上記ケーシング１の内面に対向する面に設けられた係止レバー５３とを備えている。本実施例では、図５、８〜１０、１４に示すように、係止溝５２が一箇所に設けられたものとされているが、二箇所以上に設けられていても良い。
【００３７】
そして、上記係止レバー５３から突出するようにして設けられた被案内突起５３ａが上記案内溝５１に沿って移動するものとされており、この被案内突起５３ａが上記係止溝５２に導かれ、この係止溝５２の行き止まり部で上記被案内突起５３ａが係止されることにより、ケーシング１に対して回動ドラム３が一定の位置で一時的に固定される。温度ヒューズ６は回動ドラム３と共にケーシング１に対して回動するものである。そのため、この停止機構５によって温度ヒューズ６をケーシング１に対して一定の位置で一時的に固定させることができる。
【００３８】
次に上記回動ドラム３の動作について図８〜図１０を参照しながら説明する。
（図８）ケーシング１から電源コード２（図示しない）を手で引き出すと、回動ドラム３の引き出し方向（図示右回り方向）への回転に伴い、係止レバー５３の被案内突起５３ａは、案内溝５１のうち内周側に存在する引き出し専用路５１ａを同方向へ周回する。そして電源コード２から手を離すと、付勢手段４の付勢力により、回動ドラム３が巻込み方向（図示左回り方向）に回転し、被案内突起５３ａが引き出し専用路５１ａから係止溝５２へ案内される。そして係止溝５２の行き止まり部で係止レバー５３の被案内突起５３ａが係止されることにより、回動ドラム３の回動が停止する。なお、第１実施例、第２実施例とも、係止溝５２は一箇所にのみ設けられているため、常に一定の位置で回動ドラム３の回動が停止することになる。
【００３９】
（図９）さらに電源コード２を引き出すと、回動ドラム３の引き出し方向（図示右回り方向）への回転に伴い、係止レバー５３の被案内突起５３ａが係止溝５２より出て、案内溝５１のうち外周側に存在する巻込み専用路５１ｂから渡り溝５１ｃへ案内される。さらに電源コード２を引くと、この渡り溝５１ｃから引き出し専用路５１ａに被案内突起５３ａが案内され、引き出し方向（図示右回り方向）への周回を続ける。そして、電源コード２から手を離した時点で、上記要領で被案内突起５３ａが係止され、一定の位置で回動ドラム３が停止する。
【００４０】
（図１０）一方、上記のように一定の位置で停止した状態にある電源コード２をケーシング１の内部へ戻すには、電源コード２を少し引いた後に手を離す。まず、電源コード２を少し引くことにより、回動ドラム３が引き出し方向（図示右回り方向）へに回転し、係止レバー５３の被案内突起５３ａは係止溝５２から巻込み専用路５１ｂへ出る。この時点で電源コード２から手を離すことにより、付勢手段４の付勢力により、回動ドラム３が巻込み方向（図示左回り方向）に回転し、被案内突起５３ａは巻込み専用路５１ｂを周回する。これにより、回動ドラム３は電源コード２を全て巻き取るまで回転を続けることとなる。
【００４１】
ここで後述の温度ヒューズ６の設けられた位置は、上記巻回筒部３１よりも上記回動軸Ａに近い側であり、かつ、上記回動ドラム３の回動に伴う、上記案内溝５１における被案内突起５３ａの通る位置から外れた位置となる。つまり、この位置に上記の回動ドラム側通気孔３３〜３３が設けられており、上記のような停止機構５の動作の邪魔にならないようにされている。
【００４２】
電源コード２の先端には差込プラグ２１が設けられており、同基端２２は図６や図１５に示すように、上記回動ドラム３の一部に挟まれて固定されている。そして、ケーシング１には電源コード取出口１２が設けられており、回動ドラム３に電源コード２を巻き取った際でも、例えば図２や図１１に示すように、上記差込プラグ２１がこの電源コード取出口１２から露出した状態で残るようになっている。
【００４３】
第１実施例においては、図４（Ｂ）、図６に示すように、表側巻回板部３２ａを挟んだ表裏方向の一方側には電源コード２が巻回されており、図４（Ｂ）及び図７に示すように、同他方側にはケーシング１からの引き出しがなされないダミーコード７が上記電源コードと逆方向に巻回されている。この実施例では、表側巻回板部３２ａの表側外面にこのダミーコード７が巻回されている。なお、このダミーコード７の先端は電気製品Ｄの電気配線に接続されている。そして、上記ダミーコード７が上記表面側巻回板部３２ａを貫通し、上記温度ヒューズ６を介して上記電源コード２に接続されている。
【００４４】
一方、第２実施例においては、回動ドラム３上であって電源コードの基端２２に回動ドラム側電気接点８１が設けられている。この実施例では、図１３及び図１５に示すように、上記巻回板部３２の内面から、上記電源コードの基端２２に電気的に接続されるようにして回動ドラム側電気接点８１が突出している。そして、上記巻回板部３２の内面に対向する関係にある、上記ケーシング１の内面にケーシング側電気接点８２が設けられている。上記の各電気接点８１，８２が常時接触するものとされており、これにより、ケーシング１に対する回動ドラム３の位置に関係なく電源コード２の通電が維持される。この実施例においては、ケーシング表面に出力端子８３が設けられている。この出力端子８３は、上記ケーシング側電気接点８２に電気的に接続されており、この出力端子８３に電気製品Ｄの内部の電気配線が接続されている。
【００４５】
上記電源コード２のうち、常時ケーシング内に存在する部分には温度ヒューズ６が設けられている。第１実施例では、図６に示すように電源コードの基端２２とダミーコード７との間に設けられている。第２実施例では、図１５に示すように電源コードの基端２２と回動ドラム側電気接点８１との間に設けられている。
【００４６】
この温度ヒューズ６は、上記ケーシング側通気孔１１〜１１のうち少なくとも一つと同一径の位置で、回動ドラム３と共にケーシング１に対して回動するものである。より詳しくは、この温度ヒューズ６の設けられた位置が、巻回筒部３１よりも回動ドラム３の回動軸Ａに近い側であり、かつ、回動ドラム３の回動に伴う、上記案内溝５１における被案内突起５３ａの通る位置から外れた位置である。
【００４７】
このようにして、温度ヒューズ６がケーシング内に設けられるため、温度ヒューズ６をコードリールと一体化できる。そのため従来のように、コードリールの取付作業と温度ヒューズの取付作業とを別個に行う必要がなく、温度ヒューズ６を備えたコードリールというユニットを電気製品Ｄに組み込めば良いため、電気製品全体の組立作業にかかる手間を減少させることができる。
【００４８】
しかも温度ヒューズ６は、上記ケーシング側通気孔１１〜１１のうち少なくとも一つと同一径の位置に配位されるものであるため、温度ヒューズ６がケーシング内に設けられていても、コードリールＲの周囲における外気の過熱状況を感知することが十分に可能である。
【００４９】
上記のように構成されたコードリールＲは、図１に略示するように、電気製品Ｄに略垂直になるように内蔵される。ここで「略垂直」とは、図１に示すように、回動ドラム３の回動軸Ａが水平線を挟んで±４５°以内となる位置関係を指す。そして、上記の停止機構５が作動した際に、コードリールＲの上半分、より詳しくは、回動ドラム３の回動軸Ａを通るものであって、この回動ドラム３を上半分と下半分とに分ける仮想の平面Ｓ１よりも上方寄りに上記の温度ヒューズ６が位置する。なお、上記「仮想の平面Ｓ１よりも上方寄り」とは、仮想の平面Ｓ１に温度ヒューズ６の一部がかかっている場合も含む。
【００５０】
通常の場合、電気製品Ｄの発熱部分ＨによってコードリールＲの周囲における外気が加熱された場合、下方よりも上方の方が高温となる。よって、上記のように回動ドラム３の停止時においてコードリールＲの上半分に温度ヒューズ６を位置させることにより、上記外気の過熱状況を、より感知しやすくできる。要するに、温度ヒューズ６をコードリールＲにおける高温側半分に位置させるのである。
【００５１】
一方、コードリールＲが電気製品Ｄに略水平になるように内蔵されたものであっても良い。ここで「略水平」とは、図１６（Ｂ）に示すように、回動ドラム３の回動軸Ａが垂直線を挟んで±４５°以内となる位置関係を指す。そして、上記停止機構５が作動した際に、上記回動ドラム３の回動軸Ａを通るものであって、この回動ドラム３を発熱部分Ｈに対して水平方向で近い側の半分（図１６（Ａ）に示す右半分）と遠い側の半分（同左半分）とに分ける仮想の平面Ｓ２よりも発熱部分Ｈに近い側に上記温度ヒューズ６が位置する。なお、上記「仮想の平面Ｓ２よりも近い側」とは、仮想の平面Ｓ２に温度ヒューズ６の一部がかかっている場合も含む。
【００５２】
発熱部分Ｈは通常広がり（面積、体積）を持っているので、その広がりのうちコードリールＲに最も近い位置を発熱基準位置Ｈａと規定する。前記の「最も近い」とは、図１６（Ｂ）に示すように、回動軸Ａが貫通する位置におけるコードリールＲの厚み中心Ｒｃからの直線距離が最も小さくなることを指す。
【００５３】
そして、図１６（Ａ）に示すように、回動ドラム３の回動軸Ａと上記の発熱基準位置Ｈａとを結ぶもので、回動軸Ａを通る仮想の平面Ｓ３を規定する。この仮想の平面Ｓ３に直交する関係にあり、かつ回動軸Ａを通る平面が上記仮想の平面Ｓ２である。
【００５４】
上記のように、回動ドラム３の停止時においてコードリールＲの発熱部分Ｈに対して水平方向で近い側の半分に温度ヒューズ６を位置させることにより、コードリールＲの周囲における外気過熱状況を、より感知しやすくできる。要するにコードリールＲを略水平とした場合にあっても、温度ヒューズ６をコードリールＲにおける高温側半分に位置させるのである。
【００５５】
なお、本実施例ではコードリールＲを組み込む電気製品をＩＨ式の電気炊飯器としたが、本願発明に係るコードリールＲは、例えば電気ポットやアイロンなど、発熱部分Ｈを有する種々の電気製品Ｄに組み込むことができる。また、発熱を積極的に利用するものでない電気製品Ｄ、例えば電気掃除機や空気清浄機などであっても異常な過熱を防止するために組み込むことができる。
【図面の簡単な説明】
【００５６】
【図１】電気製品に内蔵されたコードリールを示す概略図である。
【図２】第１実施例のコードリールの正面図である。
【図３】第１実施例のコードリールの背面図である。
【図４】第１実施例のコードリールを示し、（Ａ）は側面図であり、（Ｂ）は図１のＩ−Ｉ断面図である。
【図５】第１実施例のコードリールにおける停止機構を示す、図４（Ｂ）のII−II断面図である。
【図６】第１実施例のコードリールにおける回動ドラム及び電源コードを示す、図４（Ｂ）のIII−III断面図である。
【図７】第１実施例のコードリールにおける回動ドラム及びダミーコードを示す、図４（Ｂ）のIV−IV断面図である。
【図８】回動ドラムの動作の説明図である。
【図９】回動ドラムの動作の説明図である。
【図１０】回動ドラムの動作の説明図である。
【図１１】第２実施例のコードリールの正面図である。
【図１２】第２実施例のコードリールの背面図である。
【図１３】第２実施例のコードリールを示し、図１１のＶ−Ｖ断面図である。
【図１４】第２実施例のコードリールにおける停止機構を示す、図１３のVI−VI断面図である。
【図１５】第２実施例のコードリールにおける回動ドラム及び電源コードを示す、図１３のVII−VII断面図である。
【図１６】コードリールと発熱部分との位置関係を示す概略説明図であり、（Ａ）は平面視を示し、（Ｂ）は側面視を示す。
【図１７】従来のコードリールの一例を示し、（Ａ）は正面図、（Ｂ）は（Ａ）のＸ−Ｘ断面図、（Ｃ）はケースの内面を示す図であり、（Ｄ）はリールを示す図である。
【符号の説明】
【００５７】
１      ケーシング
１１    ケーシング側通気孔
１２    電源コード取出口
２      電源コード
２１    差込プラグ
２２    電源コードの基端
３      回動ドラム
３１    巻回筒部
３２    巻回板部
３２ａ  表面側巻回板部
３２ｂ  裏面側巻回板部
３３    回動ドラム側通気孔
４      付勢手段
５      停止機構
５１    案内溝
５２    係止溝
５３    係止レバー
５３ａ  被案内突起
６      温度ヒューズ
７      ダミーコード
８１    回動ドラム側電気接点
８２    ケーシング側電気接点
Ａ      回動ドラムの回動軸
Ｄ      電気製品
Ｈ      発熱部分
Ｒ      コードリール
Ｓ１，Ｓ２      仮想の平面
【要約】
【課題】電気製品全体の組立作業にかかる手間を減少させることができる電気製品用のコードリール及びこれを備えた電気製品を提供する。
【解決手段】コードリールＲを構成するケーシング１には、ケーシング内外を通気可能とするためのケーシング側通気孔１１〜１１が貫通して設けられており、収納される電源コードのうち、常時ケーシング内に存在する部分には温度ヒューズ６が設けられており、この温度ヒューズ６は、上記ケーシング側通気孔１１〜１１のうち少なくとも一つと同一径の位置で、回動ドラムと共に上記ケーシング１に対して回動するものであり、停止機構が作動した際に上記回動ドラムの回動軸Ａを通るものであり、この回動ドラムを上半分と下半分とに分ける仮想の平面Ｓ１よりも上方寄りに上記温度ヒューズ６が位置することを特徴とする。
【選択図】図３【図１】
0004171768.tif 000002
【図２】
0004171768.tif 000003
【図３】
0004171768.tif 000004
【図４】
0004171768.tif 000005
【図５】
0004171768.tif 000006
【図６】
0004171768.tif 000007
【図７】
0004171768.tif 000008
【図８】
0004171768.tif 000009
【図９】
0004171768.tif 000010
【図１０】
0004171768.tif 000011
【図１１】
0004171768.tif 000012
【図１２】
0004171768.tif 000013
【図１３】
0004171768.tif 000014
【図１４】
0004171768.tif 000015
【図１５】
0004171768.tif 000016
【図１６】
0004171768.tif 000017
【図１７】
0004171768.tif 000018